(57)【特許請求の範囲】
【請求項１】
統合型ターボ機械酸素プラント（１０）であって、
燃焼器（２８）と、
前記燃焼器（２８）に作動連結されたターボ機械であって圧縮機（２２）及びタービンエキスパンダ（２４）を備えるターボ機械（１６）と、
前記圧縮機（２２）から前記タービンエキスパンダ（２４）を通して加圧空気（３２）を流して、該タービンエキスパンダ（２４）を冷却する１以上の圧縮機通路（３４）と、
前記１以上の圧縮機通路（３４）に作動連結された空気分離ユニット（３６）であって前記タービンエキスパンダ（２４）から出た加圧空気（３２）を酸素（４０）及び低酸素空気（４２）に分離するように構成された空気分離ユニット（３６）と
を含むプラント（１０）。
【請求項２】
前記１以上の圧縮機通路（３４）に沿って配置されて、前記加圧空気（３２）の温度をさらに上昇させる１以上の熱交換器（３８）をさらに含む、請求項１記載のプラント（１０）。
【請求項３】
前記空気分離ユニット（３６）から前記タービンエキスパンダ（２４）に前記低酸素空気（４２）を流して、該タービンエキスパンダ（２４）の回転を駆動する１以上の低酸素空気通路（４４）をさらに含む、請求項１または２に記載のプラント（１０）。
【請求項４】
前記空気分離ユニット（３６）から前記燃焼器（２８）に前記低酸素空気（４２）を流して、該燃焼器（２８）内で燃料ガスと共に燃焼させる１以上の燃焼器通路（４６）をさらに含む、請求項１乃至３のいずれかに記載のプラント（１０）。
【請求項５】
前記１以上の燃焼器通路（４６）に連結されて、該１以上の燃焼器通路（４６）を通る流れを推進する補助圧縮機（２２Ａ）をさらに含む、請求項４記載のプラント（１０）。
【請求項６】
当該プラントが前記燃焼器（２８）に作動連結されたガス化装置（１２）をさらに備えていて、ガス化装置（１２）で生成した燃料ガスが前記燃焼器（２８）に供給される、請求項１乃至５のいずれかに記載のプラント（１０）。
【発明の詳細な説明】
【技術分野】
【０００１】
本明細書に開示した主題は、総括的にガス化発電プラントに関する。より具体的には、本主題の開示は、発電用の空気分離プラントに関する。
【背景技術】
【０００２】
典型的なガス化発電プラントは、酸素を使用して例えば石炭のような供給材料をガスタービンでの燃焼用の燃料ガスに変換して、該ガスタービンに連結された発電機により発電を行なう。統合型ガス化発電プラントでは、それから酸素を分離する空気が、ガスタービン圧縮機から供給され、従ってプラント効率が向上しかつコストが低減される。空気は、ガスタービンの圧縮機内で加圧され、また空気分離ユニットにおいて加圧空気の他の成分から酸素を分離することによって、該加圧空気から酸素が生成される。一般に使用される空気分離ユニットの１つのタイプは、膜ベースの空気分離ユニットである。膜ベースの分離ユニットでは空気分離は、約１４００°Ｆ以上、一般的には約１４００°Ｆ〜約１６００°Ｆの範囲の温度で行なわれる。しかしながら、ガスタービン圧縮機からの加圧空気は、約６００°Ｆ〜約１０００°Ｆの範囲で利用可能である。従って、加圧空気は、熱交換器又は燃料過熱器により加熱して空気分離ユニットで利用するのに必要な１４００°Ｆ〜１６００°Ｆに温度上昇される。この熱交換器の利用により、付加的コストが追加されまた作動させるための付加的燃料が必要となる。
【先行技術文献】
【特許文献】
【０００３】
【特許文献１】米国特許第７２８４３６２号明細書
【発明の概要】
【課題を解決するための手段】
【０００４】
本発明の１つの態様によると、統合型ターボ機械酸素プラントは、燃焼器を含む。燃焼器に作動連結されたターボ機械は、圧縮機及びタービンエキスパンダを含む。１以上の圧縮機通路が、圧縮機から燃焼器及びタービンエキスパンダの１以上を通して加圧空気を流して、該燃焼器及び／又はタービンエキスパンダを冷却する。空気分離ユニットは、１以上の圧縮機通路に作動連結されかつ加圧空気を酸素及び低酸素空気に分離するように構成される。
【０００５】
本発明の別の態様によると、統合型ターボ機械酸素プラントにおいて空気を分離する方法は、ターボ機械の圧縮機内で空気の流れを加圧するステップと、ターボ機械の燃焼器及びタービンエキスパンダの１以上を通して加圧空気の流れを流して、該燃焼器及び／又はタービンエキスパンダを冷却するステップとを含む。加圧空気の流れの温度は、燃焼器及び／又はタービンエキスパンダを通って流れることにより、空気分離ユニットの作動温度まで上昇される。加圧空気の流れは、空気分離ユニットに流されて、空気分離ユニットにおいて、加圧空気は酸素及び低酸素空気に分離される。
【図面の簡単な説明】
【０００６】
【図１】統合型ターボ機械酸素プラントにおける空気分離システムの概略図。
【発明を実施するための形態】
【０００７】
詳細な説明では、図面を参照しながら実施例によって、本発明の実施形態をその利点及び特徴と共に説明する。
【０００８】
図に示すのは、統合型ターボ機械酸素プラント１０の概略図である。プラント１０は、例えば石炭のような供給原料から燃料ガス１４を生成するガス化装置１２を含むことができる。燃料ガス１４は、例えばガスタービンのようなターボ機械１６に作動連結された燃焼器２８に供給される。燃焼器２８は、燃料ガス１４を燃焼させて燃焼生成物３０を発生させ、燃焼生成物３０は、例えば発電機２０に連結されたターボ機械１６のタービンシャフト１８を駆動して、電力を発生させる。ターボ機械１６は、シャフト１８に沿って設置されかつタービンエキスパンダ２４に作動連結された圧縮機２２を含む。空気流２６が、圧縮機２２内に投入（入力）され、加圧されかつ燃焼器２８に吐出（出力）されて、燃料ガス１４と共に燃焼される。燃焼生成物３０は、タービンエキスパンダ２４に送られて、シャフト１８を駆動する。
【０００９】
プラント１０は、空気内の他の成分から酸素を分離する空気分離システムを含む。加圧空気流３２の一部分は、圧縮機２２から一般的に約６００°Ｆ〜１０００°Ｆの範囲の圧縮機出力温度で送給される。加圧空気流３２は、１以上の加圧空気通路３４を介してタービンエキスパンダ２４及び／又は燃焼器２８に送られて、それらの中の構成要素に対して冷却を与えるが、一般的にそれら構成要素は、６００°Ｆ〜１０００°Ｆよりも非常に高い温度で作動しかつ有効寿命を達成するために該構成要素に対するそのような冷却をさらに必要としている。燃焼器２８及び／又はタービンエキスパンダ２４を通して送られた後に幾つかの実施形態では約１４００°Ｆ〜１６００°Ｆの温度となった加圧空気流３２は、幾つかの実施形態では膜ベースでありかつエキスパンダ流出流と都合良く整合している１４００°Ｆ〜１６００°Ｆの範囲の作動温度を有する空気分離ユニット３６に送られる。エキスパンダ流出流が空気分離ユニットの作動温度範囲よりも低い温度である幾つかのケースにおいて加圧空気流３２の付加的加熱が必要である場合には、加圧空気流３２は、熱交換器３８又は同様のものを通して流して、該加圧空気流３２の温度を空気分離ユニットの作動温度の範囲内まで上昇させることができる。燃焼器２８及び／又はタービンエキスパンダ２４の構成要素からの熱を利用して加圧空気流３２の温度を所望のレベルまで上昇させることにより、従来技術のシステムで使用されているような付加的な熱交換器及び／又は加熱器の必要性が減少或いは排除される。
【００１０】
加圧空気流３２が空気分離ユニット３６に流されると、空気分離ユニット３６は、加圧空気流３２を低圧高温酸素４０の流れ及び低酸素空気４２の流れに分離する。幾つかの実施形態では、低酸素空気４２は、１以上の低酸素空気通路４４を介してタービンエキスパンダ２４に流されて、シャフト１８の回転を駆動し、従ってターボ機械１６の効率を増大させる。さらに、幾つかの実施形態では、低酸素空気４２の少なくとも一部分は、空気分離ユニット３６から１以上の燃焼器通路４６を介して燃焼器２８に送られかつ該燃焼器２８に導入される。燃料ガス１４と共に燃焼される燃焼器２８内への低酸素空気４２の導入により、プラント１０の効率及び出力が増大しかつ燃焼器２８からの例えばＮＯｘのエミッションが低減される。幾つかの実施形態では、燃焼器２８内への導入に先立って、低酸素空気４２は、所望の燃焼器２８入口温度に冷却される。幾つかの実施形態では、１以上の燃焼器通路４６に対して、補助圧縮機２２Ａが連結される。補助圧縮機２２Ａは、燃焼器２８に流れる低酸素空気４２のストリーム内に付加的高圧空気を導入することによって１以上の燃焼器通路４６を通る流れを推進して、プラント１０の効率及び出力をさらに増大させるために使用される。
【００１１】
高温酸素４０の流れは、多くの異なる用途で利用することができる。例えば、幾つかの実施形態では、高温酸素４０は、供給原料に加えてガス化装置１２内に導入して、燃料ガス１４を生成することができる。ガス化装置１２の入力要件に応じて、高温酸素４０の流れは、変更することができる。例えば、高温酸素４０の流れは、熱交換器４８内で冷却して、酸素４０の温度を低下させることができる。さらに、酸素４０の高圧流れが望ましい場合には、酸素４０の流れは、酸素圧縮機５０に導入して、その圧力を所望のレベルに増大させる。このプラント１０の他の実施例では、天然ガス又は石油のような従来型のガスタービン燃料を使用することができ、また生成した酸素は、産業プラントで使用するために他へ輸送することができる。
【００１２】
限られた数の実施形態に関してのみ本発明を詳細に説明してきたが、本発明がそのような開示した実施形態に限定されるものではないことは、容易に理解される筈である。むしろ、本発明は、これまで説明していないが本発明の技術思想及び技術的範囲に相応するあらゆる数の変形、変更、置換え又は均等な構成を組込むように改良することができる。さらに、本発明の様々な実施形態について説明してきたが、本発明の態様は説明した実施形態の一部のみを含むことができることを理解されたい。従って、本発明は、上記の説明によって限定されるものと見なすべきではなく、本発明は、特許請求の範囲の技術的範囲によってのみ限定される。
【符号の説明】
【００１３】
１０  プラント
１２  ガス化装置
１４  燃料ガス
１６  ターボ機械
１８  タービンシャフト
２０  発電機
２２  圧縮機
２２Ａ  補助圧縮機
２４  タービンエキスパンダ
２６  空気流
２８  燃焼器
３０  燃焼生成物
３２  加圧空気流
３４  加圧空気通路
３６  分離ユニット
３８  熱交換器
４０  酸素
４２  低酸素空気
４４  低酸素空気通路
４６  燃焼器通路
４８  熱交換器
５０  酸素圧縮機
【図１】
0005933944.tif 000002